(57)【要約】【課題】親機になるか、又は子機になるかを状況に応じて決定する表示端末を提供する。【解決手段】同期開始処理が実行されると、通信可能な親機の表示端末を、検索する（Ｓ２１）。そして、親機の表示端末が存在するか否かが判断される（Ｓ２２）。親機の表示端末が存在すると判断された場合（Ｓ２２：ＹＥＳ）、自身を子機として動作するための処理である子機動作処理が実行され（Ｓ２３）、同期開始処理を終了する。また、親機の表示端末が存在しないと判断された場合（Ｓ２２：ＮＯ）、自身を親機として動作するための処理である親機動作処理が実行される（Ｓ２４）。そして、同期開始処理を終了する。【選択図】図６
2010183151.tif 000002
【特許請求の範囲】
【請求項１】
表示手段と、前記表示手段に表示させる表示データを記憶する記憶手段と、前記表示データを前記表示手段に表示させる表示制御手段とを備えた表示端末であって、
他の前記表示端末と無線による通信を行う通信手段と、
他の前記表示端末との間で、前記表示手段に表示された表示内容の同期の開始を指示する第一指示手段と、
前記第一指示手段にて指示がされたか否かを判断する第一指示判断手段と、
前記第一指示判断手段にて指示がされたと判断された場合、他の前記表示端末に前記表示データを送信する側の前記表示端末であることを示す親機モードの動作モードで動作する他の前記表示端末が、前記通信手段の通信圏内に存在するか否かを判断する第一判断手段と、
前記第一判断手段にて前記親機モードの他の前記表示端末が存在しないと判断された場合、自身の動作モードを、前記親機モードに設定し、前記親機モードの他の前記表示端末が存在すると判断された場合、自身の動作モードを、他の前記表示端末から前記表示データを受信する側の前記表示端末であることを示す子機モードに設定するモード設定手段と、
前記モード設定手段にて前記親機モードに設定された場合、自身の通信状態を、前記子機モードの前記表示端末との通信の開始を待機する状態である待機状態に設定する通信状態設定手段と、
前記モード設定手段にて前記子機モードに設定された場合、前記親機モードの前記表示端末に対して、前記通信手段を介して自身を識別する識別情報を送信する識別情報送信手段と、
前記通信状態が前記待機状態となっている場合において、前記識別情報送信手段にて送信された前記識別情報を受信したか否かを判断する第二判断手段と、
前記親機モードにおいて、前記第二判断手段にて前記子機モードの前記表示端末から前記識別情報を受信したと判断された場合、前記表示手段に表示されている前記表示データを、受信した前記識別情報で特定される前記子機モードの前記表示端末に送信する第一送信手段と、
前記モード設定手段にて前記子機モードに設定された場合、他の前記親機モードの前記表示端末の前記第一送信手段から送信された前記表示データを受信する第一受信手段とを備え、
前記表示制御手段は、前記子機モードにおいて、前記第一受信手段にて受信した前記表示データを前記表示手段に表示させることを特徴とする表示端末。
【請求項２】
前記親機モードにおいて、前記第二判断手段にて前記子機モードの前記表示端末から前記識別情報を受信したと判断された場合、受信した前記識別情報で特定される前記子機モードの前記表示端末に、前記子機モードの前記表示端末で表示される前記表示データを特定するための情報である特定情報を送信する第二送信手段と、
前記親機モードにおいて、前記子機モードの前記表示端末で表示させる前記表示データの受信を前記親機モードの表示端末に要求するための情報である要求情報を、前記子機モードの前記表示端末から受信する第二受信手段とを備え、
前記第一送信手段は、前記第二受信手段にて前記要求情報を受信した場合、前記表示手段に表示されている前記表示データを、前記要求情報を送信した前記子機モードの前記表示端末に送信することを特徴とする請求項１に記載の表示端末。
【請求項３】
前記第一受信手段にて受信した前記表示データを前記記憶手段に記憶させる記憶制御手段と、
前記子機モードにおいて、前記第二送信手段にて送信された前記特定情報を、前記親機モードの前記表示端末から受信する第三受信手段と、
前記第三受信手段にて受信した前記特定情報で特定される前記表示データが、前記記憶手段に記憶されているか否かを判断する記憶判断手段と、
前記記憶判断手段にて前記特定情報で特定される前記表示データが、前記記憶手段に記憶されていないと判断された場合、前記要求情報を前記親機モードの前記表示端末に送信する第三送信手段と、
前記表示制御手段は、前記子機モードにおいて、前記記憶判断手段にて前記表示データが前記記憶手段に記憶されていると判断された場合、前記記憶手段に記憶されている前記表示データを前記表示手段に表示させ、前記記憶判断手段にて前記表示データが前記記憶手段に記憶されていないと判断された場合、前記第一受信手段にて受信した前記表示データを前記表示手段に表示させることを特徴とする請求項２に記載の表示端末。
【請求項４】
前記子機モードにおいて、前記親機モードの前記表示端末から前記表示データを受信するための指示をする第二指示手段と、
前記第二指示手段にて指示がされたか否かを判断する第二指示判断手段とを備え、
前記識別情報送信手段は、前記モード設定手段にて前記子機モードに設定され、前記第二指示判断手段にて指示がされたと判断された場合、前記識別情報を前記親機モードの前記表示端末に対して送信することを特徴とする請求項１乃至３のいずれかに記載の表示端末。
【請求項５】
前記親機モードにおいて、前記識別情報で特定される前記子機モードの前記表示端末に、前記表示手段に表示されている前記表示データを送信する指示をする第三指示手段と、
前記第三指示手段にて指示がされたか否かを判断する第三指示判断手段とを備え、
前記第一送信手段は、前記親機モードにおいて、前記第二判断手段にて前記子機モードの前記表示端末から前記識別情報を受信したと判断され、前記第三指示判断手段にて指示がされたと判断された場合、前記表示手段に表示されている前記表示データを、受信した前記識別情報で特定される前記子機モードの前記表示端末に送信することを特徴とする請求項１乃至４のいずれかに記載の表示端末。
【請求項６】
前記通信状態が前記待機状態となっている場合において、所定のタイミングで自身の前記通信状態を前記待機状態から、前記待機状態が終了した状態であり、前記子機モードの前記表示端末との通信の開始を新たに行わない状態である待機終了状態へと変更する第一通信状態変更手段を備えたことを特徴とする請求項１乃至５のいずれかに記載の表示端末。
【請求項７】
前記所定のタイミングは、前記第一送信手段にて前記表示データが前記子機モードの前記表示端末に送信されたタイミングであることを特徴とする請求項６に記載の表示端末。
【請求項８】
前記通信状態設定手段にて前記通信状態が前記待機状態に設定されてから、所定時間が経過したか否かを判断する時間判断手段を備え、
前記所定のタイミングは、前記時間判断手段にて前記所定時間が経過したと判断されたタイミングであることを特徴とする請求項６に記載の表示端末。
【請求項９】
前記子機モードにおいて、再度、前記第一指示判断手段にて指示がされたと判断された場合、自身の動作モードを、前記親機モードの前記表示端末との通信を行わない前記表示端末であることを示す通常モードに変更するモード変更手段を備えたことを特徴する請求項１乃至８のいずれかに記載の表示端末。
【請求項１０】
前記第一通信状態変更手段にて前記通信状態が前記待機終了状態に変更された後、再度、前記第一指示判断手段にて指示がされたと判断された場合、自身の前記通信状態を前記待機状態に変更する第二通信状態変更手段を備えたことを特徴とする請求項６乃至８のいずれかに記載の表示端末。
【発明の詳細な説明】
【技術分野】
【０００１】
本発明は、表示端末に関するものであり、詳細には、親機になるか、又は子機になるかを状況に応じて決定する表示端末に関するものである。
【背景技術】
【０００２】
従来、複数の端末のうちの１つを親機、他の端末を子機として、親機で表示した文字や画像を子機でも同様に表示させる携帯型機器が知られている（例えば、特許文献１参照）。この特許文献１に記載の携帯型機器では、親機と子機とを接続ケーブルで相互に接続させて、親機で表示した文字や、画像の情報を子機に送信する。子機は、親機から受信した文字や画像の情報を受信する。これにより、親機で表示した画像と同じ画像を子機で同期させて表示することができる。
【先行技術文献】
【特許文献】
【０００３】
【特許文献１】特開平６−１１０４１６号公報
【発明の概要】
【発明が解決しようとする課題】
【０００４】
しかしながら、上記記載の携帯型機器では、外部記憶装置等の各種ハードウェアを制御する制御手段は、親機と子機とで異なっているため、親機と子機とが予め決められているという問題点があった。
【０００５】
本発明は、上述した問題を解決するためになされたものであり、親機になるか、又は子機になるかを状況に応じて決定する表示端末を提供することを目的とする。
【課題を解決するための手段】
【０００６】
上記目的を達成するために、請求項１に係る発明の表示端末では、表示手段と、前記表示手段に表示させる表示データを記憶する記憶手段と、前記表示データを前記表示手段に表示させる表示制御手段とを備えた表示端末であって、他の前記表示端末と無線による通信を行う通信手段と、他の前記表示端末との間で、前記表示手段に表示された表示内容の同期の開始を指示する第一指示手段と、前記第一指示手段にて指示がされたか否かを判断する第一指示判断手段と、前記第一指示判断手段にて指示がされたと判断された場合、他の前記表示端末に前記表示データを送信する側の前記表示端末であることを示す親機モードの動作モードで動作する他の前記表示端末が、前記通信手段の通信圏内に存在するか否かを判断する第一判断手段と、前記第一判断手段にて前記親機モードの他の前記表示端末が存在しないと判断された場合、自身の動作モードを、前記親機モードに設定し、前記親機モードの他の前記表示端末が存在すると判断された場合、自身の動作モードを、他の前記表示端末から前記表示データを受信する側の前記表示端末であることを示す子機モードに設定するモード設定手段と、前記モード設定手段にて前記親機モードに設定された場合、自身の通信状態を、前記子機モードの前記表示端末との通信の開始を待機する状態である待機状態に設定する通信状態設定手段と、前記モード設定手段にて前記子機モードに設定された場合、前記親機モードの前記表示端末に対して、前記通信手段を介して自身を識別する識別情報を送信する識別情報送信手段と、前記通信状態が前記待機状態となっている場合において、前記識別情報送信手段にて送信された前記識別情報を受信したか否かを判断する第二判断手段と、前記親機モードにおいて、前記第二判断手段にて前記子機モードの前記表示端末から前記識別情報を受信したと判断された場合、前記表示手段に表示されている前記表示データを、受信した前記識別情報で特定される前記子機モードの前記表示端末に送信する第一送信手段と、前記モード設定手段にて前記子機モードに設定された場合、他の前記親機モードの前記表示端末の前記第一送信手段から送信された前記表示データを受信する第一受信手段とを備え、前記表示制御手段は、前記子機モードにおいて、前記第一受信手段にて受信した前記表示データを前記表示手段に表示させることを特徴とする。
【０００７】
また、請求項２に係る発明の表示端末は、請求項１に記載の発明の構成に加え、前記親機モードにおいて、前記第二判断手段にて前記子機モードの前記表示端末から前記識別情報を受信したと判断された場合、受信した前記識別情報で特定される前記子機モードの前記表示端末に、前記子機モードの前記表示端末で表示される前記表示データを特定するための情報である特定情報を送信する第二送信手段と、前記親機モードにおいて、前記子機モードの前記表示端末で表示させる前記表示データの受信を前記親機モードの表示端末に要求するための情報である要求情報を、前記子機モードの前記表示端末から受信する第二受信手段とを備え、前記第一送信手段は、前記第二受信手段にて前記要求情報を受信した場合、前記表示手段に表示されている前記表示データを、前記要求情報を送信した前記子機モードの前記表示端末に送信することを特徴とする。
【０００８】
また、請求項３に係る発明の表示端末は、請求項２に記載の発明の構成に加え、前記第一受信手段にて受信した前記表示データを前記記憶手段に記憶させる記憶制御手段と、前記子機モードにおいて、前記第二送信手段にて送信された前記特定情報を、前記親機モードの前記表示端末から受信する第三受信手段と、前記第三受信手段にて受信した前記特定情報で特定される前記表示データが、前記記憶手段に記憶されているか否かを判断する記憶判断手段と、前記記憶判断手段にて前記特定情報で特定される前記表示データが、前記記憶手段に記憶されていないと判断された場合、前記要求情報を前記親機モードの前記表示端末に送信する第三送信手段と、前記表示制御手段は、前記子機モードにおいて、前記記憶判断手段にて前記表示データが前記記憶手段に記憶されていると判断された場合、前記記憶手段に記憶されている前記表示データを前記表示手段に表示させ、前記記憶判断手段にて前記表示データが前記記憶手段に記憶されていないと判断された場合、前記第一受信手段にて受信した前記表示データを前記表示手段に表示させることを特徴とする。
【０００９】
また、請求項４に係る発明の表示端末は、請求項１乃至３のいずれかに記載の発明の構成に加え、前記子機モードにおいて、前記親機モードの前記表示端末から前記表示データを受信するための指示をする第二指示手段と、前記第二指示手段にて指示がされたか否かを判断する第二指示判断手段とを備え、前記識別情報送信手段は、前記モード設定手段にて前記子機モードに設定され、前記第二指示判断手段にて指示がされたと判断された場合、前記識別情報を前記親機モードの前記表示端末に対して送信することを特徴とする。
【００１０】
また、請求項５に係る発明の表示端末は、請求項１乃至４のいずれかに記載の発明の構成に加え、前記親機モードにおいて、前記識別情報で特定される前記子機モードの前記表示端末に、前記表示手段に表示されている前記表示データを送信する指示をする第三指示手段と、前記第三指示手段にて指示がされたか否かを判断する第三指示判断手段とを備え、前記第一送信手段は、前記親機モードにおいて、前記第二判断手段にて前記子機モードの前記表示端末から前記識別情報を受信したと判断され、前記第三指示判断手段にて指示がされたと判断された場合、前記表示手段に表示されている前記表示データを、受信した前記識別情報で特定される前記子機モードの前記表示端末に送信することを特徴とする。
【００１１】
また、請求項６に係る発明の表示端末は、請求項１乃至５のいずれかに記載の発明の構成に加え、前記通信状態が前記待機状態となっている場合において、所定のタイミングで自身の前記通信状態を前記待機状態から、前記待機状態が終了した状態であり、前記子機モードの前記表示端末との通信の開始を新たに行わない状態である待機終了状態へと変更する第一通信状態変更手段を備えている。
【００１２】
また、請求項７に係る発明の表示端末は、請求項６に記載の発明の構成に加え、前記所定のタイミングは、前記第一送信手段にて前記表示データが前記子機モードの前記表示端末に送信されたタイミングであることを特徴とする。
【００１３】
また、請求項８に係る発明の表示端末は、請求項６に記載の発明の構成に加え、前記通信状態設定手段にて前記通信状態が前記待機状態に設定されてから、所定時間が経過したか否かを判断する時間判断手段を備え、前記所定のタイミングは、前記時間判断手段にて前記所定時間が経過したと判断されたタイミングであることを特徴とする。
【００１４】
また、請求項９に係る発明の表示端末は、請求項１乃至８のいずれかに記載の発明の構成に加え、前記子機モードにおいて、再度、前記第一指示判断手段にて指示がされたと判断された場合、自身の動作モードを、前記親機モードの前記表示端末との通信を行わない前記表示端末であることを示す通常モードに変更するモード変更手段を備えている。
【００１５】
また、請求項１０に係る発明の表示端末は、請求項６乃至８のいずれかに記載の発明の構成に加え、前記第一通信状態変更手段にて前記通信状態が前記待機終了状態に変更された後、再度、前記第一指示判断手段にて指示がされたと判断された場合、自身の前記通信状態を前記待機状態に変更する第二通信状態変更手段を備えている。
【発明の効果】
【００１６】
請求項１に係る発明の表示端末では、第一判断手段にて制御操作が受け付けられている他の表示端末との通信が不可能であれば、自身の動作モードを他の表示端末にデータを送信する側である親機モードに設定する。そして、通信状態を子機モードの表示端末との通信の開始を待機する状態である待機状態する。また、制御操作が受け付けられている他の表示端末との通信が可能であれば、自身の動作モードを他の表示端末からデータを受信する側である子機モードに設定する。待機状態で、第二判断手段にて子機モードの表示端末との通信が可能であると判断されれば、表示手段に表示されているデータを子機モードの表示端末へ送信する。データを送信された子機モードの表示端末では、第一受信手段にてデータを受信し、受信したデータを表示手段に表示する。これにより、親機モードで動作するか、又は子機モードで動作するかは、制御操作が受け付けられたタイミングで容易に決めることができ、親機モードで動作する表示端末で表示されているデータを子機モードで動作している表示端末に表示させることができる。また、制御操作は、親機モードの表示端末と子機モードの表示端末とで共通であるため、ユーザは複数の操作を覚える必要がなくなる。
【００１７】
また、請求項２に係る発明の表示端末では、請求項１に記載の発明の効果に加え、親機モードの表示端末は、表示部に表示されている表示データを特定する特定情報を、第二送信手段にて送信する。そして、第二受信手段にて要求情報を、子機モードの表示端末から受信する。要求情報を受信すると、表示部に表示されている表示データを、要求情報を送信した子機モードの表示端末に対して送信する。これにより、親機モードの表示端末は、要求情報を送信した子機モードの表示端末に対してのみ表示データを送信する。その結果、子機モードの表示端末に対して、不必要にデータを送信することがなくなる。
【００１８】
また、請求項３に係る発明の表示端末では、請求項２に記載の発明の効果に加え、子機モードの表示端末は、記憶判断手段にて、親機モードの表示端末から送信された特定情報で特定されるデータを記憶しているか否かを判断する。そして、記憶していないと判断した場合、データの受信を要求するための要求情報を親機モードの表示端末に送信する。表示制御手段は、記憶判断手段にて特定情報で特定されるデータを記憶していないと判断された場合、親機モードの表示端末から送信されたデータを表示手段に表示し、記憶判断手段にて特定情報で特定されるデータを記憶していると判断された場合、記憶されているデータを表示手段に表示する。これにより、子機モードの表示端末において特定情報で特定されるデータを記憶している場合、親機モードの表示端末は必要のないデータを送信することを防げる。その結果、子機モードの表示端末で、データを表示する速度を向上することができる。
【００１９】
また、請求項４に係る発明の表示端末では、請求項１乃至３のいずれかに記載の発明の効果に加え、子機モードにおいて、親機モードの表示端末から表示データを受信する指示がされたか否かを判断する第二指示判断を備えている。そして、第二指示判断にて指示がされた場合、識別情報送信手段にて、自身を識別する識別情報を親機モードの表示端末に対して送信する。これにより、子機モードの表示端末を使用するユーザが、親機モードの表示端末からデータを受信することを決定できる。その結果、子機モードの表示端末を使用するユーザが意図しない状況で、親機モードの表示端末から表示データが受信され、表示されることを防げる。
【００２０】
また、請求項５に係る発明の表示端末では、請求項１乃至４のいずれかに記載の発明の効果に加え、親機モードの表示端末において、受信した識別情報で特定される子機モードの表示端末に対して、表示部に表示されている表示データを送信する指示がされたか否かを判断する第三指示判断手段を備えている。そして、第三指示判断手段にて指示がされたと判断された場合、受信した識別情報で特定される子機モードの表示端末に対して表示データを送信する。これにより、親機の表示端末を使用するユーザは、通信する子機の表示端末を選択することができる。その結果、意図しない子機モードの表示端末に対して、表示データの送信を防ぐことができる。
【００２１】
また、請求項６に係る発明の表示端末では、請求項１乃至５のいずれかに記載の発明の効果に加え、親機モードで動作している表示端末の通信状態が待機状態の場合、所定のタイミングで待機終了状態へと変更する第二通信状態変更手段を備えている。これにより、親機モードの表示端末において、所定のタイミングになると、他の子機モードの表示端末との通信の接続を受け付けないようになる。その結果、必要以上の子機モードの表示端末との通信を防げる。
【００２２】
また、請求項７に係る発明の表示端末では、請求項６に記載の発明の効果に加え、所定のタイミングは、第一送信手段にてデータが子機モードの表示端末に送信されたタイミングである。これにより、親機モードの表示端末から、最初にデータが送信された子機モードの表示端末に対してのみデータの送信が行われる。その結果、親機モードの表示端末と、子機モードの表示端末との１対１の通信が可能となり、特定の子機モードの表示端末にだけデータを送信することができる。
【００２３】
また、請求項８に係る発明の表示端末では、請求項６に記載の発明の効果に加え、第一通信状態変更手段にて通信状態が待機状態に変更されてから、所定時間が経過したか否かを判断する時間判断手段を備えている。そして、所定のタイミングは、時間判断手段にて所定時間が経過したと判断されたタイミングである。これにより、所定の時間が経過するまでは、親機モードの表示端末は、複数の子機モードの表示端末との通信が可能となり、データを送信することができる。
【００２４】
また、請求項９に係る発明の表示端末では、請求項１乃至８のいずれかに記載の発明の効果に加え、子機モードの表示端末で、再度、操作受付手段により制御操作が受け付けられた場合、自身のモードを通常モードに変更する。これにより、子機モードの表示端末において、制御操作を行うことにより、親機モードの表示端末との通信の接続を簡単に解除することができる。また、親機モードの表示端末との接続の操作と、接続の解除の操作とは同一の操作であるため、子機モードの表示端末のユーザは複数の操作を覚える必要がなくなる。
【００２５】
また、請求項１０に係る発明の表示端末では、請求項６乃至８のいずれかに記載の発明の効果に加え、第二通信状態変更手段にて通信状態が待機終了状態に変更された後、再度、操作受付手段にて制御操作が受け付けられた場合、自身の通信状態を待機状態に変更する第三通信状態変更手段を備えている。これにより、親機モードの表示端末において、他の表示端末との通信を受け付けない状態で、制御操作が行われると、他の表示端末との通信を受け付ける状態になる。その結果、会議等が行われている状態で、一度、他の子機モードの表示端末との通信を受け付けない状態となっていても、親機モードの表示端末で制御操作を行うことで、会議に遅れてきた人が使用する他の表示端末と、親機モードの表示端末との通信が可能となる。そして、遅れてきた人が使用する表示端末に対して表示させるデータを送信することができる。
【図面の簡単な説明】
【００２６】
【図１】表示端末１００の接続形態の一具体例を示す図である。
【図２】表示端末１００の平面図である。
【図３】表示端末１００の電気的構成を示すブロック図である。
【図４】表示端末１００のＥＥＰＲＯＭ１０４の構成を示す模式図である。
【図５】表示端末１００のメイン処理である。
【図６】表示端末１００で実行される同期開始処理のサブルーチンのフローチャートである。
【図７】表示端末１００で実行される親機動作処理のサブルーチンのフローチャートである。
【図８】表示端末１００で実行される通信接続処理のサブルーチンのフローチャートである。
【図９】表示端末１００で実行される子機動作処理のサブルーチンのフローチャートである。
【図１０】第一変形例の表示端末１００で実行される通信接続処理のサブルーチンのフローチャートである。
【図１１】第二変形例の表示端末１００で実行される通信接続処理のサブルーチンのフローチャートである。
【図１２】第二変形例の表示端末１００で実行される子機動作処理のサブルーチンのフローチャートである。
【図１３】第三変形例の表示端末１００で実行される通信接続処理のサブルーチンのフローチャートである。
【図１４】第四変形例の表示端末１００で実行される通信接続処理のサブルーチンのフローチャートである。
【図１５】第五変形例の表示端末１００で実行されるメイン処理のフローチャートである。
【図１６】第五変形例の表示端末１００で実行される同期制御処理のサブルーチンのフローチャートである。
【図１７】第六変形例の表示端末１００で実行される子機動作処理のサブルーチンのフローチャートである。
【図１８】第七変形例の表示端末１００の平面図である。
【発明を実施するための形態】
【００２７】
以下、本発明を具現化した一実施形態について、図面を参照して説明する。なお、参照する図面は、本発明が採用しうる技術的特徴を説明するために用いられるものであり、記載されている装置の構成、各種処理のフローチャートなどは、それのみに限定する趣旨ではなく、単なる説明例である。
【００２８】
まず、図１〜図４を参照して、本実施形態に係る表示端末１００の構成について説明する。図１は、表示端末１００の接続形態の一具体例を示す図である。図２は、表示端末１００の平面図である。図３は、表示端末１００の電気的構成を示すブロック図である。図４は、表示端末１００のＥＥＰＲＯＭ１０４の構成を示す模式図である。なお、表示端末１００は一例として、ＰＤＡ、電子ブック、携帯電話等を用いることができる。
【００２９】
最初に、図１を参照して、表示端末１００の接続形態について説明する。表示端末１００は、複数の表示端末１００がネットワーク１を介して通信が可能であり、１つの表示端末１００を、データを送信する側である親機として通信を行う。そして、他の表示端末１００を、親機の表示端末１００からデータを受信する側である子機として通信を行う。ここで、通信は、親機の表示端末１００から、子機の表示端末１００への一方向の通信であるものとする。なお、子機の表示端末１００は、複数あっても問題はない。また、通信方式としては、小会議室等での小規模エリアでの通信が可能であればよく、例えば、赤外線通信、Ｂｌｕｅｔｏｏｔｈ（登録商標）、Ｚｉｇｂｅｅ（登録商標）等が使用可能である。本実施の形態では、所定距離以内で通信可能なＢｌｕｅｔｏｏｔｈによる無線通信が行われるものとする。
【００３０】
次に、図２を参照して、表示端末１００の外観を説明する。ここで、図２において紙面上側を表示端末１００の「上側」、紙面下側を「下側」、紙面右側を「右側」、紙面左側を「左側」とする。また、紙面手前側を表示端末１００の「表側」、紙面裏側を表示端末１００の「裏側」とする。
【００３１】
図２に示すように、表示端末１００は、平面視略長方形状に形成されている。表示端末１００の表側には、表示部１０７、及び入力部１０８が設けられている。表示部１０７は、上下方向が左右方向より長い、平面視長方形状に形成され、表側の中央より左側寄りに設けられている。表示部１０７は、所望の像を形成させることが可能な表示素子により構成される。表示素子としては従来周知の表示素子が使用可能である。例えば、液晶表示素子、有機ＥＬ素子、電気泳動型表示素子が使用可能である。
【００３２】
入力部１０８は、同期ボタン１２１、決定ボタン１２２、及び十字ボタン１２３から構成され、表側の中央より右側寄りに設けられている。そして、ユーザからの入力を受け付ける。同期ボタン１２１は、表示端末１００同士の通信を制御するためのボタンであり、決定ボタン１２２は、所望の操作を決定するために使用したり、メニュー画面を表示したりするために使用されるボタンである。また、十字ボタン１２３は、メニュー画面上の項目を選択する際などに使用されるボタンである。
【００３３】
次に、図３のブロック図を参照して、表示端末１００の電気的構成について説明する。図３に示すように、表示端末１００は、表示端末１００の制御を司るＣＰＵ１０１を備えている。そして、このＣＰＵ１０１には、ＲＯＭ１０２、ＲＡＭ１０３、ＥＥＰＲＯＭ１０４、カウンタ１０５、表示制御部１０６、入力部１０８、計時装置１０９、電源制御部１１０及び無線通信制御部１１２がバス１２０を介して接続されている。表示制御部１０６を介して、表示部１０７が接続されている。電源制御部１１０を介して表示端末１００に装着される電池１１１が接続されている。また、無線通信制御部１１２を介して、他の表示端末１００との通信を行う無線通信部１１３が接続されている。
【００３４】
ＲＯＭ１０２は、表示端末１００を動作させるためのプログラム等を記憶し、ＲＡＭ１０３は、各種変数等が一時的に記憶される。ＥＥＰＲＯＭ１０４は、不揮発性のメモリである。カウンタ１０５は、タイマ機能としての時間を計測する。表示制御部１０６は、表示部１０７に表示される画像、テキスト等の表示を制御する。入力部１０８は、ユーザからの入力を受け付ける。計時装置１０９では、内部時計として時間が計時される。また、電源制御部１１０は、表示端末１００に接続する電池１１１の制御を行う。無線通信制御部１１２は、他の表示端末１００との通信を行う無線通信部１１３の制御を行う。
【００３５】
次に、図４を参照して、ＥＥＰＲＯＭ１０４の構成について説明する。ＥＥＰＲＯＭ１０４には、データ記憶エリア１１０１、プログラム記憶エリア１１０２、プログラム関係情報記憶エリア１１０３等の各種記憶エリアが設けられている。
【００３６】
データ記憶エリア１１０１には、表示端末１００の表示部１０７で表示するデータが記憶される。プログラム記憶エリア１１０２には、表示端末１００で実行される各種のプログラムが記憶される。プログラム関係情報記憶エリア１１０３には、プログラムの実行に必要な設定や初期値、データ等の情報が記憶される。
【００３７】
次に、図５〜図９を参照して、表示端末１００の各処理について説明する。図５は、表示端末１００のメイン処理である。図６は、表示端末１００で実行される同期開始処理のサブルーチンのフローチャートである。図７は、表示端末１００で実行される親機動作処理のサブルーチンのフローチャートである。図８は、表示端末１００で実行される通信接続処理のサブルーチンのフローチャートである。図９は、表示端末１００で実行される子機動作処理のサブルーチンのフローチャートである。
【００３８】
まず、はじめに、図５を参照して、表示端末１００のメイン処理について説明する。なお、図５に示す表示端末１００のメイン処理は、表示端末１００の電源がＯＮ時に実行される処理である。また、表示端末１００の電源がＯＦＦになった際には、自動的に終了するものとする。また、表示端末１００で実行される他の処理については、他のプロセスで実行されるものとする。他の処理についての説明は省略する。
【００３９】
表示端末１００のメイン処理が実行されると、初期設定処理が行われる（Ｓ１１）。この初期設定処理では、メイン処理の起動時にＲＡＭ１０３の領域に確保された各種変数が初期化される。そして、同期ボタン１２１がユーザから押されたか否かが判断される（Ｓ１２）。この判断処理は、ＲＡＭ１０３に記憶された同期ボタンフラグ（図示外）の値により判断される。同期ボタンフラグは同期ボタン１２１が押された際に、値が「１」となる。なお、初期設定処理（Ｓ１１）では、同期ボタンフラグは「０」に初期化される。
【００４０】
同期ボタン１２１が押されたと判断された場合（Ｓ１２：ＹＥＳ）、つまり、同期ボタンフラグの値が「１」の場合、他の端末と通信を行う同期開始処理が行われる（Ｓ１６）。この同期開始処理についての詳細は、後述する。ここで、同期ボタン１２１が押されたと判断された直後に、同期ボタンフラグの値が「０」に初期化される。そして、Ｓ１２へ移行する。
【００４１】
同期ボタン１２１が押されていないと判断された場合（Ｓ１２：ＮＯ）、つまり、同期ボタンフラグの値が「０」の場合、自身が親機として機能する表示端末１００か否かが判断される（Ｓ１３）。この判断処理は、ＲＡＭ１０３に記憶された動作モードフラグ（図示外）の値により判断される。動作モードフラグは、表示端末１００の動作モードを示すフラグであり、他の表示端末１００と通信していない状態であれば、動作モードは通常モードであり、値は「０」である。親機として表示端末１００が動作している状態であれば、動作モードは親機モードであり、値は「１」となる。子機として表示端末１００が動作している状態であれば、動作モードは親機モードであり、値は「２」となる。なお、初期設定処理（Ｓ１１）では、動作モードフラグは通常モードの「０」に初期化されている。
【００４２】
親機として表示端末１００が動作していないと判断された場合（Ｓ１３：ＮＯ）、つまり、ＲＡＭ１０３に記憶された動作モードフラグの値が「１」でない場合、Ｓ１２へ移行し、再度、同期ボタン１２１が押されたか否かが判断される（Ｓ１２）。つまり、同期ボタン１２１が押されるまで、Ｓ１２，Ｓ１３の判断処理を繰り返す。
【００４３】
親機として表示端末１００が動作していると判断された場合（Ｓ１３：ＹＥＳ）、つまり、ＲＡＭ１０３に記憶された動作モードフラグの値が「１」の場合、通信状態が待機状態か否かが判断される（Ｓ１４）。この待機状態は、親機の表示端末１００において、子機の表示端末１００からの通信の接続を待っている状態である。この判断処理は、ＲＡＭ１０３に記憶された通信状態フラグ（図示外）の値により判断される。通信状態フラグは、親機の表示端末１００の通信状態を示すフラグであり、子機の表示端末１００からの通信の接続を待機している状態であれば、通信状態は待機状態であり、値は「１」となる。また、通信状態フラグが、待機終了状態であれば、子機の表示端末１００からの通信の接続を受け付けない状態であり、値は「０」となる。なお、初期設定処理（Ｓ１１）では、通信状態フラグは待機終了状態である「０」に初期化されている。
【００４４】
通信状態が待機状態でないと判断された場合（Ｓ１４：ＮＯ）、つまり、ＲＡＭ１０３に記憶された通信状態フラグの値が、待機終了状態である「０」の場合、Ｓ１２へ移行する。
【００４５】
また、通信状態が待機状態であると判断された場合（Ｓ１４：ＹＥＳ）、つまり、ＲＡＭ１０３に記憶された通信状態フラグの値が、待機状態である「１」の場合、子機の表示端末１００と接続するための処理である通信接続処理を行う（Ｓ１５）。そして、Ｓ１２へ移行する。この通信接続処理の詳細については、後述する。
【００４６】
次に、図６を参照して、同期開始処理について説明する。この処理は、図５のメイン処理のＳ１６で実行される処理である。同期開始処理が実行されると、所定距離の範囲内に対して、通信可能な親機の表示端末１００を、一定時間内の時間で検索する（Ｓ２１）。ここで、通信可能な親機の表示端末１００とは、動作モードが親機モードで動作している表示端末１００であり、通信状態が待機状態の表示端末１００である。また、所定距離とは、表示端末１００の無線通信部１１３が、他の表示端末１００の無線通信部１１３と通信可能な距離を意味する。なお、一定時間は通信の確認がとれる程度の時間であればよく、一例として、５秒とする。
【００４７】
そして、一定時間内に待機状態の親機の表示端末１００が存在するか否かが判断される（Ｓ２２）。この判断手段は、一定時間以内に他の表示端末１００が発見され、他の表示端末１００から返信される動作モードフラグ、通信状態フラグの情報により判断される。
【００４８】
待機状態の親機の表示端末１００が存在すると判断された場合（Ｓ２２：ＹＥＳ）、つまり、返信された動作モードフラグが親機モードであることを示す「１」であり、通信状態が待機状態であることを示す「１」である場合、自身を子機として動作するための処理である子機動作処理が実行される（Ｓ２３）。この子機動作処理についての詳細は、後述する。そして、同期開始処理を終了する。
【００４９】
また、親機の表示端末１００が存在しないと判断された場合（Ｓ２２：ＮＯ）、つまり、一定時間以内に動作モードフラグを受信しなかったか、返信された動作モードフラグが「１」以外であるか、通信状態フラグが待機終了状態であることを示す「０」である場合、自身を親機として動作するための処理である親機動作処理が実行される（Ｓ２４）。この親機動作処理についての詳細は、後述する。そして、同期開始処理を終了する。
【００５０】
次に、図７を参照して、親機動作処理について説明する。この処理は、図６の同期開始処理のＳ２４で実行される処理である。親機動作処理が実行されると、表示端末１００の動作モードが、親機モードに設定される（Ｓ３１）。つまり、ＲＡＭ１０３の動作モードフラグが親機モードである「１」に設定される。そして、表示端末１００の通信状態が、待機状態に設定される（Ｓ３２）。つまり、ＲＡＭ１０３に記憶された通信状態フラグの値に「１」が設定される。そして、子機の表示端末１００との通信の接続を行う通信接続処理が行われる（Ｓ３３）。
【００５１】
次に、図８を参照して、通信接続処理について説明する。この処理は、メイン処理（図５：Ｓ１５参照）、又は親機動作処理（図７：Ｓ３３参照）で実行される処理である。通信接続処理が実行されると、タイマのカウントが開始される（Ｓ４１）。このカウントの開始処理は、タイマカウンタである第１カウンタを用いて行われる。この第１カウンタは、ＣＰＵ１０１に接続した計時装置１０９からの信号に基づいてカウントアップされる。
【００５２】
次いで、子機の表示端末１００との接続を待っている状態となる（Ｓ４２）。ここでは、親機の表示端末１００の周囲に対して、子機の表示端末１００と接続するための信号が送信される。その送信される信号には、親機の表示端末１００を識別する端末ＩＤも含まれるものとする。そして、子機の表示端末１００から、子機の表示端末１００を識別する端末ＩＤを受信したか否かが判断される（Ｓ４３）。この端末ＩＤは、親機の表示端末１００から送信された信号に対して、子機の表示端末１００から返信される、表示端末１００を識別する情報である。ここで、一例として、端末ＩＤは表示端末１００のマックアドレスとする。なお、端末ＩＤは表示端末１００を識別できればよく、ユニークなＩＰアドレスであってもよい。
【００５３】
子機の表示端末１００から端末ＩＤを受信したと判断された場合（Ｓ４３：ＹＥＳ）、受信した端末ＩＤで特定される子機の表示端末１００に対して、親機の表示端末１００の表示部１０７で表示されているデータと、表示されているデータのページ情報とが送信される（Ｓ４６）。そして、通信接続処理を終了する。
【００５４】
子機の表示端末１００から端末ＩＤを受信していないと判断された場合（Ｓ４３：ＮＯ）、タイムアウトか否かが判断される（Ｓ４４）。このタイムアウトか否かの判断処理は、第１カウンタのカウント値が一定時間経過したか否かで判断される。この一定時間は、子機の表示端末１００が接続するために待機できる最大の時間であり、一例として、５分とする。
【００５５】
タイムアウトしていないと判断された場合（Ｓ４４：ＮＯ）、つまり、第１カウンタの値が、一定時間である５分を経過していないと判断された場合、Ｓ４２へ移行する。
【００５６】
タイムアウトがされたと判断された場合（Ｓ４４：ＹＥＳ）、つまり、第１カウンタの値が、一定時間である５分を経過したと判断された場合、タイムアウトの表示が表示部１０７に表示され（Ｓ４５）、親機動作処理を終了する。ここで、一例として、タイムアウトの表示は、「子機が接続できませんでした」と表示される。
【００５７】
次に、図９を参照して、子機動作処理について説明する。この処理は、図６の同期開始処理のＳ２３で実行される処理である。子機動作処理が実行されると、表示端末１００を子機として動作するために、動作モードが子機モードに設定される（Ｓ５１）。つまり、ＲＡＭ１０３の動作モードフラグが子機モードである「２」に設定される。
【００５８】
そして、検索された親機の表示端末１００に対して、自身の端末ＩＤが送信される（Ｓ５２）。そして、親機の表示端末１００から、自身の表示部１０７で表示するためのデータと、データのページ情報とを受信する（Ｓ５３）。これらの情報は、図８のＳ４６で、親機の表示端末１００から送信されるデータである。また、受信したデータは、ＥＥＰＲＯＭ１０４のデータ記憶エリア１１０１に記憶される。次いで、受信した情報に基づいてデータを表示部１０７に表示する（Ｓ５４）。ここで、表示部１０７に表示されるデータは、受信したページ情報で特定されるページである。そして、子機動作処理が終了する。
【００５９】
以上説明したように、本実施の形態によると、同期ボタン１２１が押されると周囲に親機モードで動作する表示端末１００が存在するか否かを検索する。そして、親機の表示端末１００が周囲に存在しない場合、自身を親機の表示端末１００として動作する。そして、子機の表示端末１００の接続を待機している待機状態となり、子機の表示端末１００が接続されると、自身の表示部１０７に表示されているデータを接続してきた子機の表示端末１００に送信する。また、周囲に親機の表示端末１００が存在する場合、自身を子機の表示端末１００として動作する。そして、親機の表示端末１００から、親機の表示端末１００で表示されているデータを受信し、自身の表示部１０７に表示する。これにより、親機として動作するか、又は子機として動作するかは、同期ボタン１２１が指示されたタイミングで容易に決めることができ、親機の表示端末１００で表示されているデータを子機モードの表示端末１００に表示させることができる。また、同期ボタン１２１は、親機の表示端末１００と子機の表示端末１００とで共通であるため、ユーザは複数の操作を覚える必要がなくなる。
【００６０】
ここで、ＥＥＰＲＯＭ１０４が「記憶手段」に相当し、表示部１０７が「表示手段」に相当し、同期ボタン１２１が「第一指示手段」に相当する。無線通信部１１３が「通信手段」に相当し、端末ＩＤが「識別情報」に相当する。
【００６１】
また、図９のＳ５４を実行するＣＰＵ１０１が「表示制御手段」に相当し、図５のＳ１２を実行するＣＰＵ１０１が「第一指示判断手段」に相当する。図６のＳ２１を実行するＣＰＵ１０１が「第一判断手段」に相当し、図７のＳ３１、図９のＳ５１の処理を実行するＣＰＵ１０１が「モード設定手段」に相当する。図７のＳ３２を実行するＣＰＵ１０１が「通信状態設定手段」に相当し、図９のＳ５２を実行するＣＰＵ１０１が「識別情報送信手段」に相当する。図８のＳ４３を実行するＣＰＵ１０１が「第二判断手段」に相当し、図８のＳ４６を実行するＣＰＵ１０１が「第一送信手段」に相当し、図９のＳ５３を実行するＣＰＵ１０１が「第一受信手段」に相当する。
【００６２】
なお、本発明は、上述した実施の形態に限定されるものではなく、種々の変更が可能である。以下に、変形例について説明する。
【００６３】
上述した実施の形態の表示端末１００では、図８の通信接続処理で、子機の表示端末１００から端末ＩＤを受信したと判断された場合（Ｓ４３：ＹＥＳ）、受信した端末ＩＤで特定される子機の表示端末１００に対して、自身が表示しているデータを送信するが、これに限定しない。例えば、親機の表示端末１００のユーザに対して、表示しているデータを子機の表示端末１００に対して送信するか否かの指示を受け付けるようにしてもよい。
【００６４】
以下、図１０を参照して、第一変形例の表示端末１００の通信接続処理について説明する。図１０は、第一変形例の表示端末１００で実行される通信接続処理のサブルーチンのフローチャートである。なお、第一変形例の表示端末１００における他の処理については、上述した実施の形態と同様のため、その説明を省略する。また、図１０のＳ６１〜Ｓ６５の処理は、図８のＳ４１〜Ｓ４５の処理と同様のため、その説明を省略する。
【００６５】
第一変形例の表示端末１００の通信接続処理が実行され、子機の表示端末１００から端末ＩＤを受信したと判断されると（Ｓ６３：ＹＥＳ）、受信した端末ＩＤで特定される子機の表示端末１００に対して、データを送信する指示が、親機の表示端末１００のユーザによって行われたか否かが判断される（Ｓ６６）。ここで、表示部１０７にメッセージが表示され、決定ボタン１２２が押された否かが判断される。表示されるメッセージの一例として、「表示端末（００−ＡＡ−ＢＢ−ＣＣ−ＤＤ−ＥＥ）に対して、表示されているデータを送信しますか？」と表示される。
【００６６】
データを送信する指示が、親機の表示端末１００のユーザによって行われた場合（Ｓ６６：ＹＥＳ）、つまり、決定ボタン１２２が押された場合、受信した端末ＩＤで特定される子機の表示端末１００に対して、親機の表示端末１００の表示部１０７で表示されているデータと、表示されているデータのページ情報とが送信される（Ｓ６７）。そして、通信接続処理を終了する。
【００６７】
また、データを送信する指示が、親機の表示端末１００のユーザによって行われなかった場合（Ｓ６６：ＮＯ）、つまり、決定ボタン１２２が押されず、キャンセルボタン（図示外）が押された場合、Ｓ６７の処理は行われず、通信接続処理を終了する。
【００６８】
以上説明したように、第一変形例では、親機の表示端末１００において、子機の表示端末１００から通信が行われた場合、親機の表示端末１００のユーザは、通信してきた子機の表示端末１００に対して、通信を行うか否かの選択をすることができる。そして、決定ボタン１２２が指示された場合、親機の表示端末１００で表示されているデータが、子機の表示端末１００に対して送信される。また、キャンセルボタン（図示外）が指示された場合、データは送信されない。その結果、意図しない子機の表示端末１００に対して、データの送信を防ぐことができる。
【００６９】
なお、上述した第一変形例において、決定ボタン１２２が「第三指示手段」に相当する。図１０のＳ６６を実行するＣＰＵ１０１が「第三指示判断手段」に相当し、図１０のＳ６７を実行するＣＰＵ１０１が「第一送信手段」に相当する。
【００７０】
また、上述した実施の形態の表示端末１００では、子機の表示端末１００は、親機の表示端末１００から、子機の表示端末１００で表示するためのデータを必ず受信するが、これに限定しない。例えば、子機の表示端末１００が、表示部１０７に表示するデータを予め記憶していれば、親機の表示端末１００からデータを受信しないようにしてもよい。
【００７１】
以下、図１１及び図１２を参照して、第二変形例の表示端末１００の通信接続処理、及び子機動作処理について説明する。図１１は、第二変形例の表示端末１００で実行される通信接続処理のサブルーチンのフローチャートである。図１２は、第二変形例の表示端末１００で実行される子機動作処理のサブルーチンのフローチャートである。なお、第二変形例の表示端末１００における他の処理については、上述した実施の形態と同様のため、その説明を省略する。
【００７２】
はじめに、図１１を参照して、第二変形例の表示端末１００の通信接続処理について説明する。この通信接続処理は、上述した実施の形態と同様に、メイン処理（図５：Ｓ１５参照）、又は親機動作処理（図７：Ｓ３３参照）で実行される処理である。ここで、上述した実施の形態の通信接続処理（図８参照）のＳ４１〜Ｓ４５の処理と、図１１に示す第二変形例の通信接続処理のＳ７３〜Ｓ７７の処理は、同様のためその説明を省略する。
【００７３】
図１１に示すように、子機の表示端末１００から端末ＩＤを受信したと判断された場合（Ｓ７５：ＹＥＳ）、接続した子機の表示端末１００に対して、表示部１０７に表示されているデータのファイル名と、ページ情報が送信される（Ｓ７８）。ここで、ページ情報とは、表示部１０７に表示されているデータのページ番号である。
【００７４】
そして、子機の表示端末１００から、一定時間内で要求情報を受信したか否かが判断される（Ｓ７９）。この要求情報は、子機の表示端末１００において、表示部１０７で表示するためのデータを、親機の表示端末１００に対して要求するための情報である。なお、この要求情報を受信したか否かの判断処理は、一定時間内で行うものとする。この一定時間の計測は、タイマカウンタである第３カウンタを用いて行われる。この第３カウンタは、ＣＰＵ１０１に接続した計時装置１０９からの信号に基づいてカウントアップされる。この一定時間は、要求情報を受信するまでの最大の時間であり、一例として、５秒とする。
【００７５】
一定時間内で要求情報を受信していないと判断された場合（Ｓ７９：ＮＯ）、通信接続処理を終了する。また、一定時間内で要求情報を受信した場合（Ｓ７９：ＹＥＳ）、受信した端末ＩＤで特定される子機の表示端末１００に対して、親機の表示部１０７で表示されているデータを送信する（Ｓ８０）。そして、通信接続処理を終了する。
【００７６】
次に、図１２を参照して、第二変形例の表示端末１００の子機動作処理について説明する。この子機動作処理は、上述した実施の形態と同様に、同期開始処理（図６：Ｓ２３参照）で実行される処理である。
【００７７】
第二変形例の表示端末１００の子機動作処理が実行されると、表示端末１００を子機として動作するために、動作モードが子機モードに設定される（Ｓ９１）。つまり、ＲＡＭ１０３の動作モードフラグが子機モードである「２」に設定される。
【００７８】
そして、検索された親機の表示端末１００に対して、自身の端末ＩＤが送信される（Ｓ９２）。そして、親機の表示端末１００から、表示部１０７で表示するためのデータのファイル名と、表示部１０７で表示するデータのページ情報とを受信する（Ｓ９３）。これらの情報は、図１１のＳ７８で、親機の表示端末１００から送信される情報である。
【００７９】
次いで、受信したファイル名と同一のファイル名のデータが、ＥＥＰＲＯＭ１０４のデータ記憶エリア１１０１に保存されているか検索され（Ｓ９４）、データ記憶エリア１１０１に保存されているか否かが判断される（Ｓ９５）。
【００８０】
データ記憶エリア１１０１に、受信したファイル名のデータが保存されていると判断された場合（Ｓ９５：ＹＥＳ）、つまり、受信したファイル名と同一のファイル名のデータがＥＥＰＲＯＭ１０４のデータ記憶エリア１１０１に保存されている場合、受信したファイル名と同一のファイル名のデータが、データ記憶エリア１１０１から取得される。そして、取得されたデータにおいて、Ｓ９３で受信したページ情報で特定されるページが表示部１０７に表示される（Ｓ９９）。そして、子機動作処理が終了する。
【００８１】
また、データ記憶エリア１１０１に、受信したファイル名のデータが保存されていないと判断された場合（Ｓ９５：ＮＯ）、つまり、受信したファイル名と同一のファイル名のデータがＥＥＰＲＯＭ１０４のデータ記憶エリア１１０１に保存されていない場合、接続されている親機の表示端末１００に対して、要求情報が送信される（Ｓ９６）。この要求情報は、子機の表示端末１００において、表示部１０７で表示するためのデータを、親機の表示端末１００に対して要求するための情報であり、親機の表示端末１００で、受信したか否かが判断される（図１１：Ｓ７９参照）。
【００８２】
次いで、表示部１０７で表示するデータを、要求信号を受信した親機の表示端末１００から受信する（Ｓ９７）。このデータは、図１１のＳ８０で親機の表示端末１００から送信されるものである。そして、受信されたデータがＥＥＰＲＯＭのデータ記憶エリア１１０１に記憶される（Ｓ９８）。受信されたデータにおいて、Ｓ９３で受信したページ情報で特定されるページが表示部１０７に表示され（Ｓ９９）、子機動作処理が終了する。
【００８３】
以上説明したように、第二変形例では、親機の表示端末１００において、接続した子機の表示端末１００に対して、表示部１０７に表示されているデータのファイル名と、ページ情報が送信される。そして、子機の表示端末１００では、ファイル名とページ情報を受信すると、受信したファイル名と同一のファイル名のデータが、ＥＥＰＲＯＭ１０４のデータ記憶エリア１１０１に保存されているか検索され、データ記憶エリア１１０１に保存されているか否かが判断される。受信したファイル名のデータが、データ記憶エリア１１０１に保存されていると判断された場合、データ記憶エリア１１０１に保存されているデータが表示部１０７に表示される。また、データ記憶エリア１１０１に保存されていないと判断された場合、親機の表示端末１００に対して、要求情報が送信される。親機の表示端末１００において、要求情報を受信した場合、親機の表示端末１００で表示されているデータが、要求情報を送信した子機の表示端末１００に対して送信される。そして、要求情報を送信した子機の表示端末１００は、親機の表示端末１００からデータを受信する。これにより、親機の表示端末１００は、要求情報を送信した子機の表示端末１００に対してのみデータを送信する。その結果、子機の表示端末１００に対して、不必要にデータを送信することがなくなる。また、子機モードの表示端末１００でデータを記憶している場合、データを表示する速度を向上することができる。
【００８４】
なお、上述した第二変形例において、ファイル名が「特定情報」に相当する。図１１のＳ７８を実行するＣＰＵ１０１が「第二送信手段」に相当し、図１１のＳ７９：ＹＥＳを実行するＣＰＵ１０１が「第二受信手段」に相当する。図１１のＳ８０を実行するＣＰＵ８１が「第一送信手段」に相当し、図１２のＳ９８を実行するＣＰＵ１０１が「記憶制御手段」に相当する。図１２のＳ９３を実行するＣＰＵ１０１が「第三受信手段」に相当し、図１２のＳ９５を実行するＣＰＵ１０１が「記憶判断手段」に相当する。図１２のＳ９６を実行するＣＰＵ１０１が「第三送信手段」に相当し、図１２のＳ９９を実行するＣＰＵ１０１が「表示制御手段」に相当する。
【００８５】
上述した実施の形態の表示端末１００では、子機の表示端末１００は、親機の表示端末１００に対して、複数接続し、通信することが可能であるが、これに限定しない。例えば、親機の表示端末１００に対して、子機の表示端末１００が１つ接続されれば、他の子機の表示端末１００を接続できないようにしてもよい。
【００８６】
以下、図１３を参照して、第三変形例の表示端末１００の通信接続処理について説明する。図１３は、第三変形例の表示端末１００で実行される通信接続処理のサブルーチンのフローチャートである。なお、第三変形例の表示端末１００における他の処理については、上述した実施の形態と同様のため、その説明を省略する。
【００８７】
図１３を参照して、第三変形例の表示端末１００の通信接続処理について説明する。この通信接続処理は、上述した実施の形態と同様に、メイン処理（図５：Ｓ１５参照）、又は親機動作処理（図７：Ｓ３３参照）で実行される処理である。ここで、上述した第二変形例の通信接続処理（図１１参照）のＳ７３〜Ｓ８０の処理と、図１３に示す第三変形例の通信接続処理のＳ１０３〜Ｓ１１０の処理は、同様のためその説明を省略する。
【００８８】
図１３に示すように、要求情報を送信した子機の表示端末１００に対して、親機の表示部１０７で表示されているデータを送信すると（Ｓ１１０）、待機状態を解除する処理が行われる（Ｓ１１１）。ここで、ＲＡＭ１０３に記憶された通信状態フラグの値が、待機状態である「１」から待機終了状態である「０」に更新される。これにより、親機の表示端末１００は、他の子機の表示端末１００からの通信の接続を受け付けないようになる。
【００８９】
以上説明したように、第三変形例では、親機の表示端末１００は、自身の表示部１０７に表示されているデータを、最初に接続された子機の表示端末１００に対して送信した後、自身の通信状態を待機状態から待機終了状態に変更する。これにより、親機の表示端末１００は、他の子機の表示端末１００からの通信を受け付けない状態となる。その結果、親機の表示端末１００と、子機の表示端末１００との１対１の通信が可能となり、特定の子機の表示端末１００にだけデータを送信することができる。
【００９０】
なお、上述した第三変形例において、図１３のＳ１１１を実行するＣＰＵ１０１が「第一通信状態変更手段」に相当する。
【００９１】
上述した実施の形態の表示端末１００では、時間的制限を設けることなく、親機の表示端末１００に対して、複数の子機の表示端末１００が接続し、通信することが可能であるが、これに限定しない。例えば、予め所定時間を設定し、所定時間以内であれば、親機の表示端末１００に対して、子機の表示端末１００を接続するようにしてもよい。
【００９２】
以下、図１４を参照して、第四変形例の表示端末１００の通信接続処理について説明する。図１４は、第四変形例の表示端末１００で実行される通信接続処理のサブルーチンのフローチャートである。この通信接続処理は、上述した実施の形態と同様に、メイン処理（図５：Ｓ１５参照）、又は親機動作処理（図７：Ｓ３３参照）で実行される処理である。なお、第四変形例の表示端末１００における他の処理については、上述した実施の形態と同様のため、その説明を省略する。
【００９３】
図１４に示すように、通信接続処理が実行されると、タイマのカウントが開始される（Ｓ１２３）。このカウントの開始処理は、タイマカウンタである第４カウンタを用いて行われる。この第４カウンタは、ＣＰＵ１０１に接続した計時装置１０９からの信号に基づいてカウントアップされる。
【００９４】
次いで、子機モードで動作する表示端末１００との接続を待っている状態となる（Ｓ１２４）。ここでは、親機の表示端末１００の周囲に対して、子機の表示端末１００と接続するための信号が送信される。その送信される信号には、親機の表示端末１００を識別する端末ＩＤも含まれるものとする。そして、子機の表示端末１００から、子機の表示端末１００を識別する端末ＩＤを受信したか否かが判断される（Ｓ１２５）。
【００９５】
子機の表示端末１００から端末ＩＤを受信したと判断された場合（Ｓ１２５：ＹＥＳ）、受信した端末ＩＤで特定される子機の表示端末１００に対して、親機の表示端末１００の表示部１０７で表示されているデータと、表示されているデータのページ情報とが送信される（Ｓ１２６）。そして、要求情報を受信したか否かが判断される（Ｓ１２７）。この要求情報は、子機の表示端末１００において、表示部１０７で表示するためのデータを、親機の表示端末１００に対して要求するための情報である。なお、この要求情報を受信したか否かの判断処理は、一定時間内で行うものとする。この一定時間の計測は、タイマカウンタである第５カウンタを用いて行われる。この第５カウンタは、ＣＰＵ１０１に接続した計時装置１０９からの信号に基づいてカウントアップされる。この一定時間は、要求情報を受信するまでの最大の時間であり、一例として、５秒とする。
【００９６】
一定時間内で要求情報を受信した場合（Ｓ１２７：ＹＥＳ）、要求情報を送信した子機の表示端末１００に対して、親機の表示部１０７で表示されているデータを送信する（Ｓ１２８）。そして、タイムアウトか否かが判断される（Ｓ１２９）。このタイムアウトか否かの判断処理は、Ｓ１２３で開始された第４カウンタのカウント値が所定時間経過したか否かで判断される。ここでの所定時間は、子機の表示端末１００の接続を受け付けるための待ち時間の最大時間であり、一例として、５分とする。
【００９７】
また、要求情報を一定時間内で受信しなかった場合（Ｓ１２７：ＮＯ）、つまり、５秒以内に要求情報を受信しなかった場合、Ｓ１２９へ移行する。
【００９８】
タイムアウトしていないと判断された場合（Ｓ１２９：ＮＯ）、つまり、第４カウンタの値が、所定時間である５分を経過していないと判断された場合、再度、Ｓ１２４へ移行し、子機の表示端末１００からの通信の接続を待つ状態となる。
【００９９】
タイムアウトしたと判断された場合（Ｓ１２９：ＹＥＳ）、つまり、第４カウンタの値が、所定時間である５分を経過したと判断された場合、待機状態を解除する処理が行われる（Ｓ１３０）。ここで、ＲＡＭ１０３に記憶された通信状態フラグの値が、待機状態である「１」から待機終了状態である「０」に更新される。これにより、他の子機の表示端末１００からの通信の接続を受け付けないようになる。そして、通信接続処理を終了する。
【０１００】
以上説明したように、第四変形例では、親機の表示端末１００において、所定時間の間、子機の表示端末１００からの端末ＩＤを受信する。そして、端末ＩＤを送信した子機の表示端末１００から要求情報を受信すると、その子機の表示端末１００に対して、親機の表示端末１００の表示部１０７で表示されているデータを送信する。これにより、所定時間が経過するまでは、親機の表示端末１００は、複数の子機の表示端末１００との通信が可能となり、表示しているデータを送信することができる。
【０１０１】
なお、上述した第四変形例において、図１４のＳ１２９を実行するＣＰＵ１０１が「時間判断手段」に相当し、図１４のＳ１３０を実行するＣＰＵ１０１が「第一通信状態変更手段」に相当する。
【０１０２】
上述した実施の形態の表示端末１００では、一度、親機の表示端末１００と、子機の表示端末１００との通信の接続が行われれば、通信を継続するが、これに限定しない。たとえば、通信中に同期ボタン１２１が再度押されれば、通信している状態を解除するようにしてもよい。
【０１０３】
以下、図１５、図１６を参照して、第五変形例の表示端末１００の同期制御処理について説明する。図１５は、第五変形例の表示端末１００で実行されるメイン処理のフローチャートである。図１６は、第五変形例の表示端末１００で実行される同期制御処理のサブルーチンのフローチャートである。
【０１０４】
図１５を参照して、第五変形例の表示端末１００のメイン処理について説明する。このメイン処理は、上述した実施の形態と同様に、表示端末１００の電源がＯＮになった際に実行される処理である。また、表示端末１００の電源がＯＦＦになった際には、自動的に終了するものとする。また、表示端末１００で実行される他の処理については、他のプロセスで実行されるものとし、他の処理についての説明は省略する。ここで、上述した実施の形態のメイン処理（図５参照）のＳ１１〜Ｓ１５の処理と、図１５に示す第五変形例のメイン処理のＳ１４１〜Ｓ１４５の処理は、同様のためその説明を省略する。
【０１０５】
図１５に示すように、第五変形例のメイン処理が実行され、同期ボタン１２１が押されたと判断された場合（Ｓ１４２：ＹＥＳ）、他の表示端末１００と通信しているか否かが判断される（Ｓ１４６）。この判断処理は、動作モードが親機モード、又は子機モードの表示端末１００であるか否かで判断される。つまり、ＲＡＭ１０３に動作モードフラグ記憶エリアに記憶されている動作モードフラグの値が「１」、又は「２」であるか否かが判断される。
【０１０６】
他の表示端末１００と通信していると判断された場合（Ｓ１４６：ＹＥＳ）、つまり、ＲＡＭ１０３に動作モードフラグ記憶エリアに記憶されている動作モードフラグの値が「１」、又は「２」である場合、他の表示端末１００との通信の接続を制御する同期制御処理が行われる（Ｓ１４７）。この同期制御処理の詳細の説明は後述する。そして、Ｓ１４２へ移行し、再度、同期ボタン１２１が押されたか否かが判断される。
【０１０７】
他の表示端末１００と通信していないと判断された場合（Ｓ１４６：ＮＯ）、つまり、ＲＡＭ１０３に動作モードフラグ記憶エリアに記憶されている動作モードフラグの値が「０」である場合、他の表示端末１００と通信を行う同期開始処理が行われる（Ｓ１４８）。この同期開始処理は、上述した実施の形態と同様のため、その説明を省略する。そして、Ｓ１４２へ移行し、再度、同期ボタン１２１が押されたか否かが判断される。
【０１０８】
次に、図１６を参照して、同期制御処理について説明する。この処理は、図１５のメイン処理のＳ１４７で実行される処理である。同期制御処理が実行されると、親機の表示端末１００か否かが判断される（Ｓ１５１）。この判断処理は、ＲＡＭ１０３に記憶された動作モードフラグが親機モードであるか否かで判断される。つまり、動作モードフラグの値が「１」か否かで判断される。
【０１０９】
親機の表示端末１００でない場合（Ｓ１５１：ＮＯ）、つまり、動作モードフラグが子機モードであり、値が「２」である場合、親機の表示端末１００との通信の同期状態が解除される（Ｓ１６０）。ここで、動作モードフラグの値が、通信を行っていない通常の状態である通常モードになり、値が「０」となる。そして、同期制御処理を終了する。
【０１１０】
親機の表示端末１００である場合（Ｓ１５１：ＹＥＳ）、つまり、動作モードフラグが親機モードであり、値が「１」である場合、通信状態を、子機モードの表示端末１００との通信の開始を待機する状態である待機状態する（Ｓ１５２）。つまり、ＲＡＭ１０３に記憶された通信状態フラグの値が「１」に設定される。
【０１１１】
次いで、タイマのカウントが開始される（Ｓ１５３）。このカウントの開始処理は、タイマカウンタである第６カウンタを用いて行われる。この第６カウンタは、ＣＰＵ１０１に接続した計時装置１０９からの信号に基づいてカウントアップされる。
【０１１２】
次いで、子機の表示端末１００との接続を待っている状態となる（Ｓ１５４）。ここでは、親機の表示端末１００の周囲に対して、子機の表示端末１００と接続するための信号が送信される。その送信される信号には、親機の表示端末１００を識別する端末ＩＤも含まれるものとする。そして、子機の表示端末１００から、子機の表示端末１００を識別する端末ＩＤを受信したか否かが判断される（Ｓ１５５）。
【０１１３】
子機の表示端末１００から端末ＩＤを受信したと判断された場合（Ｓ１５５：ＹＥＳ）、受信した端末ＩＤで特定される子機の表示端末１００に対して、親機の表示端末１００の表示部１０７で表示されているデータと、表示されているデータのページ情報とが送信される（Ｓ１５６）。そして、所定数の子機の表示端末１００が接続されたか否かが判断される（Ｓ１５７）。この判断は、ＲＡＭ１０３に記憶されている子機接続変数（図示外）の値が所定数以上か否かで判断される。なお、子機接続変数は、Ｓ１５３でタイマのカウントが開始されると同時に、「０」初期化される。そして、子機の表示端末１００が接続されたと判断された（Ｓ１５５：ＹＥＳ）場合、カウントアップされる。ここで、所定数の値は、一例として、「５」とする。
【０１１４】
所定数の子機の表示端末１００が接続されていないと判断された場合（Ｓ１５７：ＮＯ）、つまり、ＲＡＭ１０３に記憶されている子機接続変数の値が、値が所定数である「５」より小さい場合、タイムアウトか否かが判断される（Ｓ１５８）。このタイムアウトか否かの判断処理は、第６カウンタのカウント値が一定時間経過したか否かで判断される。この一定時間は、子機の表示端末１００が接続するために待機できる最大の時間であり、一例として、５分とする。
【０１１５】
また、子機の表示端末１００から端末ＩＤを受信していないと判断された場合（Ｓ１５５：ＮＯ）、Ｓ１５８へ移行する。
【０１１６】
タイムアウトしていないと判断された場合（Ｓ１５８：ＮＯ）、つまり、第６カウンタの値が、一定時間である５分を経過していないと判断された場合、Ｓ１５４へ移行する。
【０１１７】
タイムアウトしたと判断された場合（Ｓ１５８：ＹＥＳ）、つまり、第６カウンタの値が、一定時間である５分を経過したと判断された場合、他の子機の表示端末１００の通信を受け付ける状態である待機状態を解除する処理が行われる（Ｓ１５９）。ここで、ＲＡＭ１０３に記憶された通信状態フラグの値が、待機状態である「１」から待機終了状態である「０」に更新される。これにより、他の子機の表示端末１００からの通信の接続を受け付けないようになる。そして、同期制御処理が終了する。
【０１１８】
また、所定数の子機の表示端末１００が接続されたと判断された場合（Ｓ１５７：ＹＥＳ）、つまり、ＲＡＭ１０３に記憶されている子機接続変数の値が、所定数である「５」以上の場合、Ｓ１５９へ移行する。
【０１１９】
以上説明したように、第五変形例では、親機の表示端末１００と通信をしている子機の表示端末１００において、同期ボタン１２１が再度押されると、自身の動作モードが親機の表示端末１００と通信を行わない通常モードとなる。これにより、親機モードの表示端末１００との通信を簡単に解除することができる。また、親機の表示端末１００との接続の操作と、接続の解除の操作とは同一の操作であるため、子機の表示端末１００のユーザは複数の操作を覚える必要がなくなる。
【０１２０】
また、親機の表示端末１００において、他の子機の表示端末１００との通信を受け付けない待機終了状態で、同期ボタン１２１が再度押されると、他の子機の表示端末１００との通信を受け付ける待機状態になる。その結果、会議等が行われている状態で、一度、他の子機の表示端末１００との通信を受け付けない状態となっていても、親機の表示端末１００で同期ボタン１２１の指示を行うことで、会議に遅れてきた人が使用する他の子機の表示端末１００との通信が可能となる。そして、遅れてきた人が使用する子機の表示端末１００に対して、表示させるデータを送信することができる。
【０１２１】
なお、上述した第五変形例において、図１６のＳ１６０を実行するＣＰＵ１０１が「モード変更手段」に相当し、図１６のＳ１５２を実行するＣＰＵ１０１が「第二通信状態変更手段」に相当する。
【０１２２】
上述した実施の形態の表示端末１００では、表示端末１００は、動作モードが子機モードに設定されたら、検索された親機の表示端末１００に対して、自身の端末ＩＤを送信し、親機の表示端末１００に接続するが、これに限定しない。例えば、子機として動作し、親機の表示端末１００からデータを受信して、表示する旨を、表示端末１００を使用するユーザに対して確認するようにしてもよい。
【０１２３】
以下、図１７を参照して、第六変形例の表示端末１００の子機動作処理について説明する。図１７は、第六変形例の表示端末１００で実行される子機動作処理のサブルーチンのフローチャートである。なお、第六変形例の表示端末１００における他の処理については、上述した実施の形態と同様のため、その説明を省略する。また、上述した実施の形態の子機動作処理（図９参照）のＳ５２〜Ｓ５４の処理と、図１１に示す第六変形例の子機動作処理のＳ１６３〜Ｓ１６５の処理は、同様のためその説明を省略する。
【０１２４】
図１７に示すように、第六変形例の子機動作処理が実行されると、表示端末１００を子機として動作するために、動作モードが子機モードに設定される（Ｓ１６１）。つまり、ＲＡＭ１０３の動作モードフラグが子機モードである「２」に設定される。
【０１２５】
そして、検索された親機の表示端末１００からデータを受信する指示が、ユーザから行われたか否かの判断が行われる（Ｓ１６２）。ここでは、子機の表示端末１００の表示部１０７に、メッセージが表示される。そして、決定ボタン１２２が押されたか否かが判断される。メッセージは、一例として、「親機からデータを受信し、表示してもいいですか」と表示される。
【０１２６】
親機の表示端末１００からデータを受信する指示が、ユーザから行われたと判断された場合（Ｓ１６２：ＹＥＳ）、つまり、決定ボタン１２２が押されたと判断された場合、Ｓ１６３へ移行する。
【０１２７】
また、データを受信する指示が、子機の表示端末１００のユーザによって行われなかった場合（Ｓ１６２：ＮＯ）、つまり、決定ボタン１２２が押されず、キャンセルボタン（図示外）が押された場合、Ｓ１６３〜Ｓ１６５の処理は行われず、子機動作処理を終了する。
【０１２８】
以上説明したように、第六変形例では、子機の表示端末１００において、親機の表示端末１００からデータを受信する指示が、ユーザから行われたか否かの判断が行われる。そして、親機の表示端末１００からデータを受信する旨の指示が、ユーザにより行われた場合のみ、親機の表示端末１００に対して端末ＩＤが送信される。これにより、子機の表示端末１００を使用するユーザが、親機の表示端末１００からデータを受信することを決定できる。その結果、子機の表示端末１００を使用するユーザが意図しない状況で、子機の表示端末１００が、親機の表示端末１００からデータを受信して、受信したデータが表示部１０７に表示されることを防げる。
【０１２９】
なお、上述した第六変形例において、決定ボタン１２２が「第二指示手段」に相当する。図１７のＳ１６２を実行するＣＰＵ１０１が「第二指示判断手段」に相当し、図１７のＳ１６３を実行するＣＰＵ１０１が「識別情報送信手段」に相当する。
【０１３０】
上述した実施の形態の表示端末１００では、同期ボタン１２１を押すことで、表示端末１００同士の通信を制御しているが、これに限定しない。たとえば、メニュー画面から表示端末１００同士の通信を制御するようにしてもよい。
【０１３１】
以下、図１８を参照して、第七変形例の表示端末１００について説明する。図１８は、
第七変形例の表示端末１００の平面図である。ここで、図１８において紙面上側を表示端末１００の「上側」、紙面下側を「下側」、紙面右側を「右側」、紙面左側を「左側」とする。また、紙面手前側を表示端末１００の「表側」、紙面裏側を表示端末１００の「裏側」とする。
【０１３２】
図１８に示すように、表示端末１００は、上述した実施の形態と同様に、平面視略長方形状に形成されている。そして、表示端末１００の表側には、表示部１０７、及び入力部１０８が設けられているが、入力部１０８には上述した同期ボタン１２１がない点に特徴を有する。
【０１３３】
ここで、決定ボタン１２２が押されることにより、メニュー画面１３０が表示され、親機と子機との通信を制御するための操作が表示される。例えば、図１８に示す表示端末１００では、十字ボタン１２３の右側のボタンが、表示端末１００同士の通信を制御するためのボタンとなる。これにより、上述した実施の形態の同期ボタンを設ける必要がなくなり、通常の操作で使用する十字ボタン１２３のみで、表示端末１００同士の通信を制御することが可能となる。
【０１３４】
また、他の動作で、表示端末１００同士の通信を制御するようにしてもよい。例えば、表示端末１００に加速度センサを内蔵し、ユーザが所定の角度だけ左右に表示端末１００を振ることで、表示端末１００同士の通信を制御するようにしてもよい。
【０１３５】
また、上述した実施の形態の表示端末１００では、一定時間内に待機状態の親機の表示端末１００が存在しない場合、自身を親機の表示端末１００として動作させる親機動作処理（図７参照）が行われる。そして、自身の動作モードを親機モードに設定し（Ｓ３１）、通信接続処理（Ｓ３３）が実行されるが、これに限定しない。例えば、親機動作処理が実行された直後に、自身の表示端末１００が親機として機能してよいか否かを使用者に対して指示させる表示画面（図示外）を表示部１０７に表示ようにするようにしてもよい。
【０１３６】
そして、表示端末１００の使用者から、自身の表示端末１００が親機として機能してよい旨の指示がされた場合、Ｓ３１〜Ｓ３３の処理を実行するようにし、自身の表示端末１００が親機として機能しない旨の指示がされた場合、Ｓ３１〜Ｓ３３の処理を実行しないようにすればよい。これにより、自身の表示端末１００が親機として機能する場合、その使用者に対して、自身の表示端末１００が親機として機能してよいか否かを確認することができる。これにより、自身の表示端末１００が親機として機能し、子機の表示端末１００に対して意図しないデータの送信を防ぐことができる。
【符号の説明】
【０１３７】
１    ネットワーク
１００    表示端末
１０１    ＣＰＵ
１０２    ＲＯＭ
１０３    ＲＡＭ
１０４    ＥＥＰＲＯＭ
１０５    カウンタ
１０６    表示制御部
１０７    表示部
１０８    入力部
１０９    計時装置
１１３    無線通信部
１２１    同期ボタン
１２２    決定ボタン
１１０１  データ記憶エリア
【図１】
2010183151.tif 000003
【図２】
2010183151.tif 000004
【図３】
2010183151.tif 000005
【図４】
2010183151.tif 000006
【図５】
2010183151.tif 000007
【図６】
2010183151.tif 000008
【図７】
2010183151.tif 000009
【図８】
2010183151.tif 000010
【図９】
2010183151.tif 000011
【図１０】
2010183151.tif 000012
【図１１】
2010183151.tif 000013
【図１２】
2010183151.tif 000014
【図１３】
2010183151.tif 000015
【図１４】
2010183151.tif 000016
【図１５】
2010183151.tif 000017
【図１６】
2010183151.tif 000018
【図１７】
2010183151.tif 000019
【図１８】
2010183151.tif 000020